(57)【要約】【課題】  攪拌羽根を回転させて攪拌を行う攪拌装置において、スプリングを介さずに攪拌羽根を適度な力で攪拌容器内壁面に圧着させることができるようにする。【解決手段】  攪拌する食材を収容する攪拌容器１と、前記攪拌容器内で軸回転する攪拌軸２と、前記攪拌軸に取り付けた攪拌羽根３からなり、攪拌羽根３を攪拌容器内で回転することで攪拌容器内に収容した食材を攪拌する攪拌装置であって、前記攪拌羽根は前記攪拌軸２から攪拌容器１の内壁面に向かって伸びるアーム５の先端に羽根部４を設けており、羽根部４は攪拌容器１の内壁面に接触させた状態で回転させるようにしている攪拌装置において、前記アーム５と攪拌軸２を接続しているアーム結合部７内にエアークッション６を設け、エアークッション６を介してアーム５を接続する構成とし、中空とした攪拌軸２から前記エアークッション６内へエアーを導入することで、羽根部４を攪拌容器内壁面に押さえ付ける。【選択図】図１
2006015200.tif 000002
【特許請求の範囲】
【請求項１】
攪拌する食材を収容する攪拌容器と、前記攪拌容器内で軸回転する攪拌軸と、前記攪拌軸に取り付けた攪拌羽根からなり、攪拌羽根を攪拌容器内で回転することで攪拌容器内に収容した食材を攪拌する攪拌装置であって、前記攪拌羽根は前記攪拌軸から攪拌容器の内壁面に向かって伸びるアームの先端に羽根部を設けており、羽根部は攪拌容器の内壁面に接触させた状態で回転させるようにしている攪拌装置において、
前記アームと攪拌軸を接続しているアーム結合部内にエアークッションを設け、エアークッションを介してアームを接続する構成とし、中空とした攪拌軸から前記エアークッション内へエアーを導入することで、羽根部を攪拌容器内壁面に押さえ付けることを特徴とする攪拌装置の攪拌羽根用アーム構造。
【請求項２】
請求項１に記載の攪拌装置の攪拌羽根用アーム構造において、エアークッション内へ高温の蒸気を導入する蒸気供給ラインを設けておき、攪拌装置の洗浄時にエアークッション内へ蒸気を導入することで、エアークッション内を殺菌できるようにしたことを特徴とする攪拌装置の攪拌羽根用アーム構造。
【請求項３】
請求項１又は２に記載の攪拌装置の攪拌羽根用アーム構造において、エアークッションへ供給する空気の圧力を調節する調節弁を設けておき、エアークッション内の空気圧を調節することで羽根部を攪拌容器内壁面に押しつける力を変更することができるようにしたことを特徴とする攪拌装置の攪拌羽根用アーム構造。
【発明の詳細な説明】
【技術分野】
【０００１】
本発明は攪拌装置の攪拌羽根用アーム構造に関するものである。
【背景技術】
【０００２】
食材を攪拌しながら調理する装置として、図４に示すような攪拌装置が知られている。図４の攪拌装置は、攪拌容器１内に調理する食材を入れ、攪拌容器１の下部から加熱しながら攪拌容器１内で攪拌を行うものである。攪拌容器１内には、水平な攪拌軸２が貫通しており、攪拌軸２に接続している攪拌羽根３を回転させることで食材を攪拌する。攪拌羽根３は、攪拌軸２から攪拌容器１の内壁面に向かって伸びるアーム５と、アーム５の先端に設けている羽根部４からなっている。攪拌羽根３は攪拌軸２に複数個結合しておき、攪拌羽根３を回転させることによって先端の羽根部４で食材をかき上げるようにして攪拌する。
【０００３】
羽根部４と攪拌容器内壁面の間に隙間があると、食材の一部が攪拌容器内壁面に付着したまま残り、容器表面で過熱されることになるため、羽根部４は攪拌容器内壁面に接した状態で摺動させる必要がある。そのため、実公昭５６−４３０５号の第１図にあるように、スリーブにスプリングを設けておき、スプリングを介してアームを接続することで、羽根部を容器内周面に圧着させる攪拌装置があった。
【０００４】
しかし、スプリングによる圧着の場合、アームとスリーブとの隙間に食品原料が容易に侵入してしまい、いったん内部に侵入した食品原料は簡単には洗い流すことができないという問題があった。この場合食品原料はアーム結合部の内部で腐敗し、その結果新しい攪拌食品を腐敗菌により汚損させることになる。また、スプリングのグリスが漏れ出して攪拌食品を汚損させるという問題もあった。
【０００５】
【特許文献１】実公昭５６−４３０５号公報
【発明の開示】
【発明が解決しようとする課題】
【０００６】
本発明が解決しようとする課題は、攪拌羽根を回転させて攪拌を行う攪拌装置において、スプリングを介さずに攪拌羽根を適度な力で攪拌容器内壁面に圧着させることができるようにすることにある。
【課題を解決するための手段】
【０００７】
請求項１に記載の発明では、攪拌する食材を収容する攪拌容器と、前記攪拌容器内で軸回転する攪拌軸と、前記攪拌軸に取り付けた攪拌羽根からなり、攪拌羽根を攪拌容器内で回転することで攪拌容器内に収容した食材を攪拌する攪拌装置であって、前記攪拌羽根は前記攪拌軸から攪拌容器の内壁面に向かって伸びるアームの先端に羽根部を設けており、羽根部は攪拌容器の内壁面に接触させた状態で回転させるようにしている攪拌装置において、前記アームと攪拌軸を接続しているアーム結合部内にエアークッションを設け、エアークッションを介してアームを接続する構成とし、中空とした攪拌軸から前記エアークッション内へエアーを導入することで、羽根部を攪拌容器内壁面に押さえ付けることを特徴とする。
【０００８】
請求項２に記載の発明では、前記の攪拌装置の攪拌羽根用アーム構造において、エアークッション内へ高温の蒸気を導入する蒸気供給ラインを設けておき、攪拌装置の洗浄時にエアークッション内へ蒸気を導入することで、エアークッション内を殺菌できるようにする。請求項３に記載の発明では、前記の攪拌装置の攪拌羽根用アーム構造において、エアークッションへ供給する空気の圧力を調節する調節弁を設けておき、エアークッション内の空気圧を調節することで羽根部を攪拌容器内壁面に押しつける力を変更することができるようにする。
【発明の効果】
【０００９】
本発明を実施した場合、エアークッション内は周囲よりも高圧となるため、調理中に外部からエアークッション内へ食品が侵入することを防止することができる。また、攪拌装置の洗浄時にエアークッション内へ蒸気を導入することで、エアークッション内を殺菌することができ、エアークッション内を清潔に保つことができる。さらには、エアークッションの圧力を調節することで、攪拌羽根を容器内壁面へ押しつける力を食材に応じて変更することもできる。
【発明を実施するための最良の形態】
【００１０】
図１から図３は、本発明装置の一実施例における攪拌装置を示したものであり、図１は攪拌装置の一部断面正面図、図２は攪拌装置の縦断面図、図３はアーム結合部の拡大断面図である。
【００１１】
攪拌装置は、攪拌する食材を収容する攪拌容器１と、該攪拌容器１内で攪拌する攪拌機構からなる。攪拌容器１の下部は蒸気ジャケットで覆っており、加熱調理時には蒸気ジャケット内へ蒸気を導入することで攪拌容器１の下部から加熱する。攪拌機構には、攪拌容器１内を水平に貫通する攪拌軸２と、攪拌軸２に結合した複数の攪拌羽根３があり、攪拌軸２を軸回転させることで、攪拌羽根３を回転させて食材の攪拌を行う。
【００１２】
攪拌羽根３は、攪拌軸２から攪拌容器１の内壁面に向けて伸びているアーム５と、アーム５先端に接続している羽根部４からなる。攪拌軸２とアーム５を接続するアーム結合部７の内部にはエアークッション６を設けておく。エアークッション６は中空の攪拌軸２と接続することで、攪拌軸２からエアークッション６へ空気を導入することができるようにしている。エアークッション６は羽根部４を攪拌容器内壁面へ圧着させるものであり、エアークッション６を介してアーム５を接続しておく。
【００１３】
攪拌軸２を回転する回転装置（図示せず）は、攪拌容器の側面に設けた機構部ボックス１０内に収容しており、攪拌軸２はボックス内まで延びている。また、機構部ボックス１０内には、攪拌軸２内へ空気を送り込むコンプレッサー１２を設けており、攪拌軸２を延長した先でコンプレッサー１２と接続している。コンプレッサー１２と攪拌軸２を結ぶ空気導入ライン１１の途中には、コンプレッサー１２から攪拌軸２へ導入する空気圧を調節する調節弁９を設けておき、調節弁９によって攪拌軸２へ導入する空気圧を調節するようにしておく。また、空気導入ライン１１には蒸気供給ライン８も接続しておき、攪拌軸２へは空気に替えて蒸気を導入することも可能としておく。
【００１４】
食材の攪拌調理を行う場合、攪拌軸２を軸回転させることで攪拌羽根３を円状に回転させて攪拌を行う。攪拌調理時には、コンプレッサー１２の作動を行い、攪拌軸２内へ空気を供給しておく。攪拌軸２へ空気を供給すると、攪拌軸２を通してエアークッション６内へと空気が送られ、エアークッション６ではアーム５を先側へ押し出す力が働く。エアークッション６の力は攪拌容器１の内壁面に羽根部４を押さえ付ける力となるため、羽根部４は攪拌容器１の内壁面に接触した状態で摺動することになる。
【００１５】
羽根部４を攪拌容器内壁面に接触した状態で回転させると、食材は攪拌容器内壁面に取り残されることなく掻き上げることができ、食材の一部が攪拌容器内壁面上に残されて過熱されるということなく調理することができる。
【００１６】
なお、羽根部４を攪拌容器内壁面に押さえ付ける力は、エアークッション６での圧力によって調節することができる。食材が餡やジャム等の攪拌容器内壁面に残すことなく掻き上げなければならない物の場合には、調節弁９によってエアークッション６へ供給する空気圧力を比較的高い圧力（例えば０.３MPa）に設定し、食材がスープ等の羽根部４を攪拌容器内壁面に接触させる必要がない物の場合には、調節弁９によってエアークッション６へ供給する空気圧力を比較的低い圧力（例えば０.２MPa）に設定する。
【００１７】
攪拌調理終了後に攪拌装置を洗浄する場合、エアークッション６内へ高温の蒸気を導入することで、エアークッション６内を加熱殺菌することができる。また、攪拌羽根３を取り外す場合には、エアークッション６内の空気を抜いて攪拌羽根３を攪拌容器内壁面に押さえ付けていた力をなくしておくことで、攪拌羽根３を容易に着脱することができる。
【図面の簡単な説明】
【００１８】
【図１】本発明装置の一実施例における攪拌装置の一部断面正面図
【図２】本発明装置の一実施例における攪拌装置の縦断面図
【図３】本発明装置の一実施例における攪拌装置のアーム結合部拡大断面図
【図４】攪拌装置の斜視図
【符号の説明】
【００１９】
１  攪拌容器        
２  攪拌軸      
３  攪拌羽根        
４  羽根部      
５  アーム
６  エアークッション        
７  アーム結合部
８  蒸気供給ライン
９  調節弁
１０  機構部ボックス
１１  空気導入ライン
１２  コンプレッサー
【図１】
2006015200.tif 000003
【図２】
2006015200.tif 000004
【図３】
2006015200.tif 000005
【図４】
2006015200.tif 000006